【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
ユーザの生体データおよび行動データを取得する取得部と、
前記ユーザの生体指標を前記生体データに基づいて生成する生体指標生成部と、
前記ユーザによる前記生体指標に影響を及ぼす行動の実績を表す行動指標を前記行動データに基づいて生成する行動指標生成部と、
前記ユーザが行動を変容する必要性を２以上の段階で表す要求度を前記生体指標および前記行動指標に基づいて算出する算出部と、
前記ユーザに行動変容を促す指導を行う指導者を少なくとも前記ユーザ以外の人物を含む複数の候補の中から前記要求度が大きいほど行動変容をより強力に促す候補に決定する決定部と、
前記指導者に前記指導を要求する指導要求データを生成する指導要求生成部と
を具備する、行動変容支援装置。
【請求項２】
前記複数の候補は、ユーザの端末または前記端末に接続された機械である第１の候補と、前記ユーザ以外の人物である第２の候補とを含み、
前記決定部は、前記要求度が第１のレベルである場合に前記第１の候補を前記指導者として決定し、前記要求度が前記第１のレベルよりも高い第２のレベルである場合に前記第２の候補を前記指導者として決定する、
請求項１に記載の行動変容支援装置。
【請求項３】
前記第２の候補は、前記ユーザの家族または知人のうち前記ユーザによって選択された人物を含み、
前記複数の候補は、前記ユーザの保健指導を担当する医療関係者、またはトレーナーである第３の候補をさらに含み、
前記決定部は、前記要求度が前記第２のレベルよりも高い第３のレベルである場合に前記第３の候補を前記指導者として決定する
請求項２に記載の行動変容支援装置。
【請求項４】
前記算出部は、前記生体指標が第１の閾値以上である場合に、前記要求度の上限値として前記第２のレベルを設定する、請求項３に記載の行動変容支援装置。
【請求項５】
前記算出部は、前記生体指標が第１の閾値を下回り、かつ、前回の生体指標が前記第１の閾値以上であった場合に、前記要求度を前記第３のレベルに設定する、請求項３に記載の行動変容支援装置。
【請求項６】
前記決定部は、前記要求度が第１のレベルよりも低い第４のレベルである場合に前記指導者を決定せず、
前記指導要求生成部は、前記指導者が決定されなかった場合に、前記指導要求データを生成しない、
請求項２乃至請求項５のいずれか１項に記載の行動変容支援装置。
【請求項７】
前記算出部は、前記行動指標が第２の閾値以上である場合に、前記要求度を前回の要求度に比べて増加させない、請求項１乃至請求項６のいずれか１項に記載の行動変容支援装置。
【請求項８】
前記算出部は、前記行動指標が前記第２の閾値を下回り、かつ、前記行動指標が前回の行動指標に比べて改善されていない場合に、前記要求度を前回の要求度に比べて減少させない、請求項７に記載の行動変容支援装置。
【請求項９】
前記算出部は、前記行動指標が前記第２の閾値を下回り、かつ、前記行動指標が前回の行動指標に比べて改善された場合に、前記要求度を前回の要求度に比べて増加させない、請求項７または請求項８に記載の行動変容支援装置。
【請求項１０】
前記行動データは、前記ユーザの食事、運動、服薬、睡眠、飲酒および喫煙の少なくとも１つを含む複数の項目についてのデータであり、
前記指導要求生成部は、前記行動データに基づいて前記複数の項目の少なくとも１つについて前記指導を要求する指導要求データを生成する、
請求項１乃至請求項９のいずれか１項に記載の行動変容支援装置。
【請求項１１】
サーバと通信する端末であって、
請求項１乃至請求項１０のいずれか１項に記載の行動変容支援装置と、
前記ユーザ以外の人物が前記指導者として決定された場合に前記指導要求データを前記指導者の端末へ向けて送信する送信部と
を具備する、端末。
【請求項１２】
前記端末が前記指導者として決定された場合に前記指導要求データに基づいて前記ユーザに行動変容を促す出力データを生成する出力データ生成部と、
前記出力データを出力する出力部と
をさらに具備する、請求項１１に記載の端末。
【請求項１３】
前記送信部は、前記端末に接続された機械が前記指導者として決定された場合に前記指導要求データを前記機械へ向けて送信する、請求項１１または請求項１２に記載の端末。
【請求項１４】
第１の端末を含む複数の端末と通信するサーバであって、
請求項１乃至請求項１０のいずれか１項に記載の行動変容支援装置と、
前記生体データおよび前記行動データを前記第１の端末から受信する受信部と、
前記ユーザ以外の人物が前記指導者として決定された場合に前記指導要求データを前記第１の端末とは異なる端末へ送信する送信部と
を具備する、サーバ。
【請求項１５】
請求項１乃至１０のいずれか１項に記載の行動変容支援装置が備える各部の処理を、プロセッサに実行させるプログラム。
【請求項１６】
前記決定部は、前記要求度が大きいほど指導に関する知識がより多い候補に決定する、請求項１に記載の行動変容支援装置。
【請求項１７】
前記決定部は、前記要求度が大きいほどより高い専門性を有する候補に決定する、請求項１に記載の行動変容支援装置。
【手続補正２】
【補正対象書類名】明細書
【補正対象項目名】００１３
【補正方法】変更
【補正の内容】
【００１３】
第３の態様に係る行動変容支援装置において前記算出部は、前記生体指標が第１の閾値以上である場合に、前記要求度の上限値として前記第２のレベルを設定してもよい。この行動変容支援装置によれば、行動指標が良好でない場合であっても、生体指標が良好なうちは、医療関係者、トレーナー、などのプロフェッショナルに指導の負担をかけることなく、日常生活の範囲でユーザの行動変容を促すことができる。
【手続補正３】
【補正対象書類名】明細書
【補正対象項目名】００１６
【補正方法】変更
【補正の内容】
【００１６】
第２の態様または第３の態様に係る行動変容支援装置において、前記決定部は、前記要求度が第１のレベルよりも低い第４のレベルである場合に前記指導者を決定せず、前記指導要求生成部は、前記指導者が決定されなかった場合に、前記指導要求データを生成しなくてもよい。
【手続補正４】
【補正対象書類名】明細書
【補正対象項目名】００７５
【補正方法】変更
【補正の内容】
【００７５】
データ取得部２１１は、端末２００に取り付けられた動きセンサ（図示されないが、例えば、加速度センサ、ジャイロスコープ、など）などにより生成された行動データ、またはユーザの自己申告に基づいて端末２００内で生成された行動データを入力部２４１から取得してもよいし、端末２００と接続されたヘルスケア機器３００（例えば、歩数計、活動量計）から受信された行動データを受信部２３１から取得してもよい。
【手続補正５】
【補正対象書類名】明細書
【補正対象項目名】００７８
【補正方法】変更
【補正の内容】
【００７８】
要求度算出部２１４は、例えば前述の制御部２１０により実現され得る。要求度算出部２１４は、生体指標生成部２１２から現在の生体指標を受け取り、行動指標生成部２１３から現在の行動指標を受け取る。要求度算出部２１４は、さらに、生体指標／行動指標記憶部２２１から前回の生体指標および行動指標を必要に応じて読み出し、要求度記憶部２２２から前回の要求度を必要に応じて読み出す。
【手続補正６】
【補正対象書類名】明細書
【補正対象項目名】０１００
【補正方法】変更
【補正の内容】
【０１００】
図６は、端末２００の動作の一例を示すフローチャートである。まず、データ取得部２１１は、生体データおよび行動データを受信部２３１および／または入力部２４１から取得する（ステップＳ７０１）。
【手続補正７】
【補正対象書類名】明細書
【補正対象項目名】０１２７
【補正方法】変更
【補正の内容】
【０１２７】
再び指導が行われなかった結果、２月１２日時点でのユーザの行動指標は「５０」へと低下した。「５０」の行動指標は良好でないと判定されるので、ステップＳ７１７が実行され、要求度は「１」に増加する。この結果、ユーザの指導者は機械に決定され、指導が再開する。
【手続補正８】
【補正対象書類名】明細書
【補正対象項目名】０１２８
【補正方法】変更
【補正の内容】
【０１２８】
機械による指導にも関わらず、２月１９日時点でのユーザの行動指標は「５０」から改善しなかった。「５０」の行動指標は良好でないと判定されるので、ステップＳ７１７が実行され、要求度は「２」に増加する。この結果、ユーザの指導者は家族に切り替わり、ユーザの行動変容がより強力に促される。